(57)【特許請求の範囲】
【請求項１】
紙ロールあるいは紙折畳体を、該紙ロールあるいは紙折畳体から帯紙を引き出せるように収容できるハウジングと、
前記ハウジングに設けられた、前記帯紙に付与する液体を保持するための容器と、
前記ハウジングに設けられた、前記紙ロールあるいは紙折畳体から帯紙を引き出し送り出すための手動送り装置とを含んでおり、
前記手動送り装置は、
前記紙ロールあるいは紙折畳体から引き出される帯紙を送り出し案内するための回転自在の送出ロールと、
前記ハウジングに揺動可能に支持されたアームに回転可能に支持され、該アームの揺動により前記送出ロールに対し接触離隔可能である転写ロールと、
前記アームに手動回動可能に搭載されたレバーと、
前記レバーの前記アームに対する手動回動を前記転写ロールに伝達するための、前記アームに搭載された歯車伝動機構とを含んでおり、
前記転写ロールが前記送出ロールから離隔している状態から前記レバーで前記アームを揺動させて前記転写ロールを前記送出ロールへ押し付けることができるとともに該転写ロールが該送出ロールに押しつけられた状態で前記レバーの回動により前記歯車伝動機構を介して前記転写ロールを帯紙送り出し方向に回転駆動して前記紙ロールあるいは紙折畳体から引き出されて前記送出ロールに案内される帯紙を該転写ロールと該送出ロールとの間に挟んで送りだすことができ、前記レバーを前記アームを揺動復帰させる方向に動かすことで前記転写ロールを前記送出ロールから後退離隔させることができる手動送り装置であり、前記転写ロールを支持している前記アームには前記容器に一部が浸漬された浸漬ロールが回転可能に支持されているとともに該浸漬ロールは前記転写ロールに当接されていることを特徴とする給紙装置。
【請求項２】
前記レバーは、前記歯車伝動機構中の、該レバーにより始動されるべき歯車に連結されている請求項１に記載の給紙装置。
【請求項３】
前記浸漬ロールは弾性的に前記転写ロール表面へ押しつけられ摩擦接触している請求項１又は２に記載の給紙装置。
【請求項４】
前記容器は前記液体を収容したタンクを装着可能であり、前記タンクが前記容器に装着され、前記容器底に形成された筒状突起が、該タンク底に穴を開けることで、開けられた該穴から鳥吸水器の原理で前記液体が僅かな量だけ流れ出し前記容器に浅い液体層を形成することができる請求項１から３のいずれか１項に記載の給紙装置。
【請求項５】
前記タンクは、前記容器に装着前は前記液体を充填した気密封止された合成樹脂製タンクである請求項４に記載の給紙装置。
【請求項６】
前記転写ロール、前記歯車伝動機構及び前記レバーを搭載した前記アームは、該アームが前記ハウジングに揺動可能に支持された状態で、該アームの揺動中心を中心とする円弧に沿って該アームとともに揺動可能の位置決め部材を有しており、前記位置決め部材は、前記アームを前記ハウジングに揺動可能に取り付けるにあたり、前記ハウジングに形成されたスリットに挿入される部材であり、前記アームが前記ハウジングに揺動可能に支持された状態で、前記レバーによる前記アームの揺動操作により前記スリットにおける第１保持座又は第２保持座に選択的に配置することができる部材であり、前記位置決め部材が前記第２保持座に配置されると前記転写ロールが前記送出ロールに押しつけられ、前記帯紙を該帯紙に前記液体を付与しつつ湿潤紙として送り出すことができる状態が得られ、前記位置決め部材が前記第１保持座に配置されると前記転写ロールが前記送出ロールから離隔し、前記帯紙を該帯紙に前記液体を付与せずに乾燥紙として引き出すことができる状態が得られる請求項１から５のいずれか１項に記載の給紙装置。
【請求項７】
前記位置決め部材は前記レバーを前記アームに回動可能に支持する軸受である請求項６に記載の給紙装置。
【請求項８】
前記液体は強い揮発性の油である請求項１から７のいずれかに記載の給紙装置。
【請求項９】
前記液体は油である請求項１から７のいずれかに記載の給紙装置。
【発明の詳細な説明】
【技術分野】
【０００１】
本発明は液体を吸って湿潤になった帯紙を送り出すことができる給紙装置に関する。
本発明によれば選択的に湿潤紙または乾燥紙を自由に取り出すことができる。
【背景技術】
【０００２】
ドイツ特許公報ＤＥ３４０４１６４Ａ１に初歩的な給紙装置が述べられている。この発明では、コンベヤベルトが液体を満たしたタンクの中を通り、それがローラーの上を走り、コンベヤベルト周面に液体を付着させ、コンベヤベルトが直接に帯紙の下面に接触して帯紙の裏面に液体を塗布し湿潤紙を繰り出すようになっている。
ローラーに揺動機構を設けコンベヤベルトを帯紙から離隔させたり帯紙に接触させたりして、選択的に湿潤紙や乾燥紙を繰り出すようにできる。
【特許文献１】ドイツ特許公報ＤＥ３４０４１６４Ａ１
【発明の開示】
【発明が解決しようとする課題】
【０００３】
そのような従来例に係る給紙装置は、分配ローラーを仲介させず、直接的に帯紙を液体で濡らすようにしており所望量より多い過剰な液体が帯紙に塗布されてしまうという欠点がある。タンクから帯紙へ直接的に液体を与えるので帯紙の下面は液体を強く吸ってびしょびしょに濡れてしまう。本発明者の実験では濡れた帯紙は引き出そうとすると切れてしまい、もはや引き出すことができないようになる。
【０００４】
前記の従来例のもう一つの欠点は、帯紙の引き出し機構を全く欠いているということである。前記特許は、押さえローラーをモータで駆動するか手動で駆動することにより紙を引き出せると述べている。しかし本発明者の研究では、回転駆動できる（塗布ベルトのすぐ上にある）押さえローラーを回転させても、全体が液体で濡れた帯紙を引き出すことは不可能であった。全体が濡れた帯紙は駆動ローラーとの間で切れて分解し消滅しローラーで送り出すことができない。ぐっしょり液体を吸った帯紙を手で引き出そうとしてもそれはとても難しい。一旦濡れた紙は手で引いても下向きに引き裂かれるだけである。
【０００５】
先述の従来例はさらにもう一つの欠点がある。それは蒸発する液体を使っているということである。液体を一定量だけ付着させるためのコンベヤが帯紙と接触している活動期も、帯紙と離隔している休止期もタンクに対して密封した状態に保たなければならない。コンベヤを揺動させる揺動機構とは独立に、タンクからの液体の蒸発を防がなければならない。タンクとコンベヤを簡単に切り放すことができないから、タンクをコンベヤとは切り放して密封保持することは難しい。もしもコンベヤをタンクから切り放してタンクだけを密封保持しようとするとコンベヤの離隔・接触位置間の揺動経路は長くならざるを得ない。
【０００６】
従来技術は、密封するためのパッキンが所望の密封効果を発揮できず、タンクの中に収容された揮発性の液体が比較的短時間で蒸発してなくなってしまうという欠点がある。
さらに従来例は液体の移送装置が、液体に濡れたコンベヤに帯紙を直接に接触させて液体をコンベヤから帯紙へ移すものである。帯紙が過剰に濡れてしまうおそれがあり過剰に濡れた帯紙をローラーで搬送することができないという欠点がある。そのような理由で、先述のドイツ特許公報ＤＥ３４０４１６４Ａ１の装置は不十分であり、手動またはモータ駆動で濡れた帯紙を送り出すという困難な問題を解決できていない。
【０００７】
本発明の課題は初めに述べた従来例に係る給紙装置の欠点を解決することであり、湿潤紙と乾燥紙を選択的に取り出すことができる給紙装置であって、湿潤紙の取り出しにあたり、帯紙への信頼性高い液体移送を実現し、一定の液体量を帯紙に塗布できるようにした給紙装置を提供することである。
【課題を解決するための手段】
【０００８】
そのような課題を解決するため、本発明は、帯紙を送り出すための手動の送り装置を備え、液体容器に漬けた浸漬ロールから、該浸漬ロールに押しつけられた転写ロールへ液体を移し、転写ロールに帯紙の少なくとも一方の面を当て、該一方の面に液体を塗布するようにした。
一つ以上の浸漬ロールとこれに押しつけられた一つ以上の転写ロールを備えた手動の送り装置を設けたということが本発明の技術思想の本質的な特長である。
すなわち、本発明は前記課題を解決するため、
紙ロールあるいは紙折畳体を、該紙ロールあるいは紙折畳体から帯紙を引き出せるように収容できるハウジングと、
前記ハウジングに設けられた、前記帯紙に付与する液体を保持するための容器と、
前記ハウジングに設けられた、前記紙ロールあるいは紙折畳体から帯紙を引き出し送り出すための手動送り装置とを含んでおり、
前記手動送り装置は、
前記紙ロールあるいは紙折畳体から引き出される帯紙を送り出し案内するための回転自在の送出ロールと、
前記ハウジングに揺動可能に支持されたアームに回転可能に支持され、該アームの揺動により前記送出ロールに対し接触離隔可能である転写ロールと、
前記アームに手動回動可能に搭載されたレバーと、
前記レバーの前記アームに対する手動回動を前記転写ロールに伝達するための、前記アームに搭載された歯車伝動機構とを含んでおり、
前記転写ロールが前記送出ロールから離隔している状態から前記レバーで前記アームを揺動させて前記転写ロールを前記送出ロールへ押し付けることができるとともに該転写ロールが該送出ロールに押しつけられた状態で前記レバーの回動により前記歯車伝動機構を介して前記転写ロールを帯紙送り出し方向に回転駆動して前記紙ロールあるいは紙折畳体から引き出されて前記送出ロールに案内される帯紙を該転写ロールと該送出ロールとの間に挟んで送りだすことができ、前記レバーを前記アームを揺動復帰させる方向に動かすことで前記転写ロールを前記送出ロールから後退離隔させることができる手動送り装置であり、前記転写ロールを支持している前記アームには前記容器に一部が浸漬された浸漬ロールが回転可能に支持されているとともに該浸漬ロールは前記転写ロールに当接されている給紙装置を提供する。
【０００９】
手動操作による送り装置によって転写ロールが帯紙の表面に押しつけられると同時に転写ロールは帯紙の送り駆動力を得て、帯紙の裏面は転写ロールに対向する送出ロールの上を通り送り出されて行くという優れた工夫がなされている。
【００１０】
先述の従来例に比べて優れた特長は、本発明が手動の送り装置を備えることと、その手動送り装置が転写ロールの回転駆動力を与えると同時に帯紙に液体を転写させるということである。そのような二重の動作は送り装置のレバーを手動操作するだけで容易に行うことができる。
【００１１】
本発明は、トイレットペーパーを湿潤にするようにトイレの給紙装置にだけ使えるというものではない。化粧用のティッシュペーパーをロールに巻いたものにも本発明を適用することができる。さらに左右等にジグザグに折り畳んだ帯紙（紙折畳体）に本発明を適用することもできる。本発明の装置は、ジグザグ帯紙の収納室から帯紙を繰り出すと同時に液体を塗布することができる。
【００１２】
本発明の更なる利点は、手動の送り装置を操作することによって、乾燥紙と湿潤紙の何れでも自由に取り出すことができるということである。
もしも送り装置のレバーを転写ロールが送出ロールに押し付けられる方向に動かさなければ、先述の転写ロールは帯紙に押しつけられず、液体を保持した転写ロールは帯紙から離れたままになり、紙ロールから乾燥紙を引き出すことができる。
【００１３】
送り装置のレバーを転写ロールが送出ロールに押し付けられる方向に引くと、帯紙は引き出されると同時に液体を塗布され湿潤紙となって出てくる。送り装置のレバーの進退運動は、歯車の噛み合わせを通じて転写ロールを回転させると同時に転写ロールをハウジングに取り付けた送出ロールの表面に当てるようにする。てこの原理で両ロール間の接触圧はレバーを引く力よりずっと大きくできる。
【００１４】
例えば、液体容器の中に設置され（少なくとも一部分が液体に漬っている）浸漬ロールがスプリングの弾性力によって転写ロール表面へ押しつけられる。浸漬ロールが回転すると浸漬ロールの表面に付着していた液体が転写ロールの表面に次々に移動する。転写ロールの表面に一定厚みで付着していた液体が移動し一定厚みの液体層が帯紙の表面に転写される。
【００１５】
さらに他の特徴として、本発明の好適な実施例を述べる。それは揮発性の液体を使わないというものである。特に油を液体として使うのが良い。それは濡れることによって紙の引っ張り強さを損なうものではなく引っ張り強さには影響しない油である。油を塗布するとより滑らかに帯紙を引き出すことができるという利点がある。
【００１６】
液体として油を使うことのもう一つの利点は殆ど蒸発しないということである。油はほとんど蒸発せず油容器からの蒸発は無視できるのでタンクと浸漬ロールあるいはベルトの間の厳密な封止は要求されない。だから本発明において液体として油を用いるのは特に好適である。
【００１７】
本発明で用いる液体は、油に限定されるものではない。それ以外に油・水懸濁液も本発明の液体として用いることができる。さらに油・水・アルコール混合液も利用できる。さらにもっと揮発しやすい液体をも用いることができる。
【００１８】
本発明の給紙装置に装入する液体の好適例として、身体洗浄用ホワイトオイルを挙げることができる。例えば乳児用のベビーオイルなどが適する。
【００１９】
これまで述べた本発明の特徴とは別の特徴がまだある。それは、液体供給のため迅速に交換可能なタンクをアダプターとして採用できるということである。
【００２０】
そのようなタンクは液体を封じ込めた密封された合成樹脂製のものとするのが良い。給紙装置へ装着する前は完全に気密状態である。そのような合成樹脂製のタンクを上方から給紙器へ差し入れる液体収容容器の底には少なくとも一つの筒状突起がタンク底に対応するように形成してある。
【００２１】
本発明に係る給紙装置では、前記容器には前記液体を収容したタンクを装着可能とし、前記タンクが前記容器に装着され、前記容器底に形成された筒状突起が、該タンク底に穴を開けることで、開けられた該穴から鳥吸水器の原理で前記液体が僅かな量だけ流れ出し前記容器に浅い液体層を形成することができるようにも構成できる。
この場合、給紙装置の上方からタンクを装入すると、容器の底に設けられた筒状突起がタンクの底を突き破る。タンクから容器底へ流体が流れ出す。流出量は鳥給水器の原理に従って決まる。筒状突起によって流出量を制御できる。液体が容器底に溜まり液体鏡面を与える。底に溜まる液体高さはほんの僅かな低いものである。先に述べた浸漬ロールの一部を液体鏡面に浸漬する。浸漬ロールは転写ロール表面に弾性的に押しつけられている。液体は浸漬ロールから転写ロールの表面に移動する。
【００２２】
装着する前は完全に密封され液体が保護されている交換可能なタンクを採用すると、多様な異なる種類の液体の入ったタンクを自由に選んで給紙器に装着し用いることができるという利点がある。また交換が極めて容易だという長所もある。タンクを交換するだけで液体交換を迅速に簡便に行うことができる。長く風通しの良いところに置いても液体が蒸発したり劣化したりするおそれがないので家庭にタンクを常備しておくことができるという利点もある。  
【００２３】
湿潤紙でも乾燥紙でも引き出せることに関連して、もう少し説明すると、本発明に係る給紙装置は次のものでもよい。すなわち、
前記転写ロール、前記歯車伝動機構及び前記レバーを搭載した前記アームは、該アームが前記ハウジングに揺動可能に支持された状態で、該アームの揺動中心を中心とする円弧に沿って該アームとともに揺動可能の位置決め部材を有しており、前記位置決め部材は、前記アームを前記ハウジングに揺動可能に取り付けるにあたり、前記ハウジングに形成されたスリットに挿入される部材であり、前記アームが前記ハウジングに揺動可能に支持された状態で、前記レバーによる前記アームの揺動操作により前記スリットにおける第１保持座又は第２保持座に選択的に配置することができる部材であり、前記位置決め部材が前記第２保持座に配置されると前記転写ロールが前記送出ロールに押しつけられ、前記帯紙を該帯紙に前記液体を付与しつつ湿潤紙として送り出すことができる状態が得られ、前記位置決め部材が前記第１保持座に配置されると前記転写ロールが前記送出ロールから離隔し、前記帯紙を該帯紙に前記液体を付与せずに乾燥紙として引き出すことができる状態が得られる給紙装置である。
【００２４】
前記位置決め部材は、例えば前記レバーを前記アームに回動可能に支持する軸受でよい。
【発明の効果】
【００２５】
本発明によると、湿潤紙と乾燥紙を選択的に取り出すことができる給紙装置であって、湿潤紙の取り出しにあたり、帯紙への信頼性高い液体移送を実現し、一定の液体量を帯紙に塗布できるようにした給紙装置を提供することができる。
【発明を実施するための最良の形態】
【００２６】
以下、本発明の実施形態を図面を参照して説明する。図面と説明によって本発明の特徴や長所がより明確になるであろう。
図１は本発明に係る給紙装置例を全体的に示す図である。該給紙装置はハウジング５を有し、ハウジング５は壁面３に固定される。
ハウジング５は少なくとも一方に側壁６を持つ。側壁６には芯に帯紙を巻き付けた紙ロールの軸２が片持ち支持される。紙ロール軸２には片方の端から紙ロール１が挿入支持される。紙ロール１から帯紙７の端部が矢印３８（図２）のように前方へ引き出せるようになっている。
【００２７】
ハウジング５は上方から蓋４によって覆われる。ハウジング５の内部空間には、容器８が形成される。容器８は上方が開口している。容器８は彎曲した壁と底壁を有し側方と底面は閉じられている。
【００２８】
容器８の内部空間には、上方からタンク１０（合成樹脂性のものが好ましい）が挿入される。容器８の底壁の上に斜切筒状突起１１が形成されている。タンク１０の底面１２が容器８の斜切筒状突起１１に押しつけられ、タンク１０の底面１２に穴が穿たれる。液体１３がタンク１０に密封されていたのであるが底面に穴が開くと液体１３が穴から容器８の底部に流れだす。鳥給水器と同じ原理で、液体１３はタンク１０底面の高さに水平の液体鏡面９を形成する。
【００２９】
容器８の中には、液体鏡面９（液体鏡面を形成している液体）に漬かるように浸漬ロール１４が設けられる。浸漬ロール１４は回転軸１５（図２も参照）の周りに回転できる。回転軸１５は半径方向にスプリング１８によって押されている。スプリング１８の力によって浸漬ロール１４は対向する転写ロール２３に押しつけられる。なお、図２は図１においてレバー２６を前方へ引き倒した様子を示す図である。図４も同様の図である。
【００３０】
アーム１６に設けられたガイド溝１７（図２）に沿って回転軸１５が移動可能になっている。アーム１６にはスプリング筒３３（図１）が設けられる。スプリング筒３３の中にはスプリング１８がありこれが回転軸１５を押し出している。
浸漬ロール１４は回転可能な転写ロール２３に（スプリング１８の力によって）弾性的に押しつけられる。
【００３１】
レバー２６の先端には把持部２５がある。レバー２６を手で廻すことによって液体輸送が行われるようになる。すなわち、レバー２６は回転軸受１９によって回転可能に支持される。レバー２６には第１歯車２０が取り付けられる。第１歯車２０は好ましくは横に並ぶ二つの歯車を持つものが良い。第１歯車２０は対向する第２歯車３１と噛み合っている。二つの歯車２０がある場合は、軸４５によってそれらの歯車は結合される。
【００３２】
レバー２６の回転軸受１９はアーム１６に設けられる。アーム１６には転写ロール２３の回転軸受２２も設けられる。レバー２６は端部において軸受１９の内輪に結合する。この軸受１９は円形の外輪保持部（外側のリング形状の保持部）２８を有する。外輪保持部２８はアーム１６と一体成形して製造しても良い。
【００３３】
外輪保持部２８は側壁６に形成された分岐を持つスリット４１（図３参照）に差し込まれスリット４１の内部を動くことができる。スリット４１は上部に垂直分岐スリットを有している。垂直分岐スリットの下方には窪んだ第１保持座４２がある。その前方少し下方に終点である第２保持座４３がある。アーム１６の軸受１９の外輪保持部２８が第１保持座４２と第２保持座４３の間を動くことができ何れかの位置で留まることができる。なお、図３はレバー２５を後方へ倒したときの様子を示す図である。図５も同様の図である。      
【００３４】
外輪保持部２８が第１保持座４２にあるときは図１、図３のようにレバー２６は後方に立てた状態を取る。紙ロール１から巻き出された帯紙７は送出ロール３６の上を通る。この時転写ロール２３は帯紙７から離隔している。帯紙７は乾燥した状態で取り出される。      
【００３５】
把持部２５を持ってレバー２６を矢印２７（図３参照）の方向へ引くと、アーム１６を保持する軸受の外輪保持部２８はスリット４１の分岐壁面４６に沿って移動する。そして外輪保持部２８は第１保持座４２より少し低い第２保持座４３に入り込む。第１保持座４２と第２保持座４３に高さの差があるので、転写ロール２３は送出ロール３６の上に押しつけられる。摩擦力はレバー２６の力によって生ずる。転写ロール２３が送出ロール３６上面と帯紙７の上に強く押しつけられる。
【００３６】
図２においてレバー２６は矢印方向に前方へ引き出されている。レバー２６がこの状態にあるとき外輪保持部２８はスリット壁を滑り第２保持座４３に至りここで留まる。レバー２６の結合軸４５は第１歯車２０と同心であるからレバー２６が下方に押し下げられたとき、第１歯車２０は図中左に回転しながら下方へ押される。
【００３７】
第１歯車２０は第２歯車３１と噛み合っているので第２歯車３１は増速回転する。第１歯車２０、第２歯車３１は前方斜め下へ動き、第２歯車３１のある転写ロール２３が送出ロール３６に接触する。
【００３８】
第１歯車２０が矢印２１（図２）の方向へ廻ると第２歯車３１は矢印２４の方向へ廻る。第２歯車３１の回転で転写ロール２３が同一の回転をする。
【００３９】
レバー２６の前後揺動による動きの幅は自由に設定できる。一度レバー２６を前へ引くと紙ロール１から例えば１００ｍｍの長さ分だけ帯紙７を引き出せるようにできる。
図４は半分の構造しか示していないが本発明は中央垂直二等分面に関して対称なので他方の側も同じ構造をしている。
【００４０】
図１に示す好適な実施例において転写ロール２３は幾つかの部分に分けて形成されている。転写ロール２３は、硬質の材料からなる核部分３５と、核の周りに設けられる柔らかい材料の外套部３４よりなる。そのようにすると、浸漬ロール１４に付着して取り出された液体を一定量だけ転写ロール２３の外套部３４へ与えることができるようになる。
【００４１】
それだけでなく、弾性体である外套部３４が送出ロール３６に押さえられて弾性的に縮む厚みが一定になるので外套部３４から送出ロール３６へ移動する液体の量も一定になる。転写ロール２３の外套部が弾性的に縮むので、送出ロール３６の曲面にそう非平面の帯紙７の表面に一様の力で一定幅で接触することができる。そのため帯紙７の上に一様な厚みの液体層を形成することができる。
【００４２】
浸漬ロール１４とそれに接触する転写ロール２３との間の液体の移動量を制御できるというのは重要なことである。浸漬ロール１４は表面に液体層を同量だけ付着させほんの僅かな一定量の液体を引上げてくる。それが転写ロール２３の表面に移動し一定厚みの液体層を形成する。それが帯紙７の上に一定厚みの液体層として転写される。そのようにするので帯紙７に過大な液体が供給され帯紙７がべたべたになるということはない。
【００４３】
給液装置の全体は給紙器から取り外すことができるように取り付けられている。そのために、左右両側にあるアーム１６にはそれぞれ螺子通し穴４０が穿ってある。螺子通し穴４０に螺子３９を差し込んで給液装置の全体を側壁６に対し回転可能に取り付ける。
螺子３９を取り外すことによって給液装置の全体を給紙器から取り除くことが出きる。
送出ロール３６は回転軸３７によって側壁に対し回転可能に取り付けられる（図３参照）。
【００４４】
第１歯車２０は軸３０（軸受１９の内輪）（図２参照）によって外輪保持部２８に対し回転可能に支持される。第１歯車２０とレバー２６は螺子で固結される。
転写ロール２３はその回転軸がアーム１６に回転可能に取り付けられている。転写ロール２３は第２歯車３１と結合している。好ましくは転写ロール２３は直接に第２歯車３１に固定するのがよい。
【００４５】
液体の大部分はタンク１０の中にあり蒸発しない。ほんの僅かな分量の液体が容器底に浅い液体鏡面９を形成しているだけである。だから蒸発が起こりにくく蒸発によって液体が枯渇するということがない。これが本発明の利点の一つである。
本発明において液体として油を用いると特に有利である。油が付いても帯紙７の引っ張り強度が低下しないからである。
【００４６】
乾燥紙と湿潤紙を自由に選択して取り出すことができるというのが本発明の更なる利点である。レバー２６を引くことによって一定長さの湿潤紙を取り出すことができるし、レバー２６を後ろに倒せば乾燥紙を取り出すことができる。
【００４７】
本発明の給紙装置はもちろんトイレに置くことができる。また浴室にも設置しても役に立つ。浴室に置く場合は帯紙を化粧水で濡らしたティッシュペーパーとして利用することができる。本発明の給紙装置は電車、飛行機、舟などの乗り物の乳児室に備え付けも有用である。液体が蒸発しにくいので長時間の旅行であっても常に濡れたティッシュペーパを供給し続けることができる。
【００４８】
手動で湿潤な帯紙を繰り出すことができるようにした本発明には次のような利点がある。
１．  レバー２６を手で引っ張るので、強く引くことによって転写ロール２３をより強く送出ロール３６へ押しつけることができる。より湿潤度の高い帯紙７を引き出すことができる。
２．  転写ロール２３を送出ロール３６へ押し当てるための一動作が同時にロールを回転させて帯紙７を押し出す作用を引き起こす。
３．  転写ロール２３の駆動力によって帯紙７が引き出されその時に液体が転写されるので濡れた部分で引っ張り力が働かず引っ張りによって帯紙７が破れる心配がない。
本発明の給紙装置は単層紙の給紙にも複層紙の給紙にも適用することができる。もちろんトイレにある単層紙あるいは複層紙の給紙にも適用できる。
【００４９】
実験したところ本発明の給紙装置は、トイレに設けられる薄い単層のトイレットペーパーでもたやすく引き出すことができた。転写ロール２３が帯紙７を押さえ、転写ロール２３と送出ロール３６の回転で帯紙７を引き出すがそれが同時に帯紙７に液体を与えるようになっているから破れないのである。
【００５０】
また、局所的な湿潤度のばらつきがなく一様な湿潤紙を繰り出すことができる。
ハウジング５は合成樹脂で作製することが望ましい。そうすれば大量生産により低コストで製造することができる。本発明の給紙装置はすでにトイレに設置してある既存の給紙器にも簡単に取り付けることができる。
【産業上の利用可能性】
【００５１】
本発明は、選択的に湿潤紙または乾燥紙を取り出す給紙装置を提供することに利用できる。
【図面の簡単な説明】
【００５２】
【図１】本発明の実施例に係る給紙装置の断面図である。
【図２】図１に示す給紙装置の要部を示す断面図である。
【図３】図１に示す給紙装置における第１歯車等の側壁に対する移動機構等を示す図である。
【図４】図２に示すものと同様の図である。
【図５】図３に示すものと同様の図である。
【符号の説明】
【００５３】
１  紙ロール
２  紙ロール軸
３  壁面
４  蓋
５  ハウジング
６  側壁
７  帯紙
８  容器
９  液体鏡面
１０  タンク
１１  斜切筒状突起
１２  底面
１３  液体
１４  浸漬ロール
１５  回転軸
１６  アーム
１７  ガイド溝
１８  スプリング
１９  回転軸受
２０  第１歯車
２１  矢印
２２  回転軸受
２３  転写ロール
２４  矢印
２５  把持部
２６  レバー
２７  矢印
２８  外輪保持部
２９  螺子
３０  軸
３１  第２歯車
３２  螺子
３３  スプリング筒
３４  外套部
３５  核部分
３６  送出ロール
３７  回転軸
３８  矢印
３９  螺子
４０  螺子通し穴
４１  スリット
４２  第１保持座
４３  第２保持座
４４  矢印
４５  結合軸
４６  端
４７  回転軸
【図１】
0004759504.tif 000002
【図２】
0004759504.tif 000003
【図３】
0004759504.tif 000004
【図４】
0004759504.tif 000005
【図５】
0004759504.tif 000006